(57)【要約】【課題】放送の視聴者の多様な要求に応じた番組のダイジェストを提供することができなかった。【解決手段】番組を記録する番組録画部１２と、番組に固有な番組ＩＤを利用して、番組を指定する番組付加情報選択部１８と、指定された番組の再生されるべき部分を特定するための基準を入力する番組付加情報登録部１７と、基準に対応する部分の番組における位置に関する位置データと基準とのあらかじめ定められた対応関係に基づいて、入力された基準に対応する部分の位置データを検索する番組ＩＤ管理部７２、および番組付加情報管理部７３と、検索された位置データに基づいて、記録された番組の部分を再生する番組再生部１４とを備えた番組メタ情報応用録画再生装置である。【選択図】  図１
2004364221.tif 000002
【特許請求の範囲】
【請求項１】
番組を記録する記録手段と、
前記番組に固有な番組ＩＤを利用して、前記番組を指定する指定手段と、
前記指定された番組の再生および／または複製されるべき部分を特定するための基準を入力する入力手段と、
（ａ）前記基準に対応する前記部分の前記番組における位置に関する位置データと前記基準とのあらかじめ定められた対応関係を格納する格納手段、および（ｂ）前記格納された対応関係に基づいて、前記入力された基準に対応する前記部分の位置データを検索する検索手段を有する演算手段と、
前記検索された位置データに基づいて、前記記録された番組の前記部分を再生および／または複製する再生複製手段とを備えた再生複製システム。
【請求項２】
前記検索された位置データは、所定のネットワークを利用して前記演算手段側から前記再生複製手段側に伝送される請求項１記載の再生複製システム。
【請求項３】
前記番組の指定および前記基準の入力は、ユーザの指示に基づいて行われ、
前記番組もしくは前記番組ＩＤ、および前記基準に関する情報が、前記ユーザに対して表示される請求項１記載の再生複製システム。
【請求項４】
前記情報の表示は、所定のネットワークを利用して行われる請求項３記載の再生複製システム。
【請求項５】
前記指定された番組および前記入力された基準に関する情報を管理する管理手段をさらに備えた請求項１記載の再生複製システム。
【請求項６】
番組を記録する記録手段と、
前記番組に固有な番組ＩＤを利用して、前記番組を指定する指定手段と、
前記指定された番組の再生および／または複製されるべき部分を特定するための基準を入力する入力手段と、
前記基準に対応する前記部分の前記番組における位置に関する位置データと前記基準とのあらかじめ定められた対応関係に基づいて検索された、前記入力された基準に対応する前記部分の位置データに基づいて、前記記録された番組の前記部分を再生および／または複製する再生複製手段とを備えた再生複製装置。
【請求項７】
番組に固有な番組ＩＤを利用して指定された前記番組の再生および／または複製されるべき部分を特定するための基準に対応する前記部分の前記番組における位置に関する位置データと前記基準とのあらかじめ定められた対応関係を格納する格納手段と、
前記格納された対応関係に基づいて、入力された前記基準に対応する前記部分の位置データを検索する検索手段とを備え、
前記検索された位置データに基づいて、記録された前記番組の前記部分が再生および／または複製される演算装置。
【請求項８】
番組に固有な番組ＩＤを利用して指定された前記番組の再生および／または複製されるべき部分を特定するための基準を入力する入力手段を備え、
前記基準に対応する前記部分の前記番組における位置に関する位置データと前記基準とのあらかじめ定められた対応関係に基づいて検索された、前記入力された基準に対応する前記部分の位置データに基づいて、記録された前記番組の前記部分が再生および／または複製される入力装置。
【請求項９】
番組を記録する記録ステップと、
前記番組に固有な番組ＩＤを利用して、前記番組を指定する指定ステップと、
前記指定された番組の再生および／または複製されるべき部分を特定するための基準を入力する入力ステップと、
（ａ）前記基準に対応する前記部分の前記番組における位置に関する位置データと前記基準とのあらかじめ定められた対応関係を格納し、（ｂ）前記格納された対応関係に基づいて、前記入力された基準に対応する前記部分の位置データを検索する演算ステップと、
前記検索された位置データに基づいて、前記記録された番組の前記部分を再生および／または複製する再生複製ステップとを備えた再生複製方法。
【請求項１０】
請求項９記載の再生複製方法の、番組を記録する記録ステップと、前記番組に固有な番組ＩＤを利用して、前記番組を指定する指定ステップと、前記指定された番組の再生および／または複製されるべき部分を特定するための基準を入力する入力ステップと、（ａ）前記基準に対応する前記部分の前記番組における位置に関する位置データと前記基準とのあらかじめ定められた対応関係を格納し、（ｂ）前記格納された対応関係に基づいて、前記入力された基準に対応する前記部分の位置データを検索する演算ステップと、前記検索された位置データに基づいて、前記記録された番組の前記部分を再生および／または複製する再生複製ステップとをコンピュータに実行させるためのプログラム。
【請求項１１】
請求項１０記載のプログラムを担持した記録媒体であって、コンピュータにより処理可能な記録媒体。
【発明の詳細な説明】
【０００１】
【発明の属する技術分野】
本発明は、番組のダイジェストを作成するための再生複製システム、再生複製装置、演算装置、入力装置、再生複製方法、プログラム、および記録媒体に関する。
【０００２】
【従来の技術】
近年、放送システムのデジタル化に伴い、放送の多チャンネル化が進んでいる。
【０００３】
放送の視聴者は、多チャンネル化によって番組数が膨大になってきているため、一つの番組の中の一部分だけを試聴したいという要求を持つようになってきた。
【０００４】
そこで、一つの番組の中の一部分だけを抽出して番組のダイジェストを自動的に作成するための番組ダイジェスト自動作成装置が、発明されている（たとえば、特許文献１参照）。
【０００５】
【特許文献１】
特開２００２−３００５１８号公報
【０００６】
【発明が解決しようとする課題】
しかしながら、このような従来の番組ダイジェスト自動作成装置は、あらかじめ放送局側で行われた設定にしたがって番組のダイジェストを作成する。
【０００７】
このため、上述の一つの番組の中の一部分として視聴率が高いシーンを含む部分が設定されている場合には、ある出演者が出演している部分だけを番組のダイジェストとして試聴したいという視聴者の要求は、満足されない。
【０００８】
このように、放送の視聴者の多様な要求に応じた番組のダイジェストを提供することができないという課題があった。
【０００９】
本発明は、上記従来のこのような課題を考慮し、放送の視聴者の多様な要求により応じた番組のダイジェストを提供することができる再生複製システム、再生複製装置、演算装置、入力装置、再生複製方法、プログラム、および記録媒体を提供することを目的とする。
【００１０】
【課題を解決するための手段】
第１の本発明は、番組を記録する記録手段と、
前記番組に固有な番組ＩＤを利用して、前記番組を指定する指定手段と、
前記指定された番組の再生および／または複製されるべき部分を特定するための基準を入力する入力手段と、
（ａ）前記基準に対応する前記部分の前記番組における位置に関する位置データと前記基準とのあらかじめ定められた対応関係を格納する格納手段、および（ｂ）前記格納された対応関係に基づいて、前記入力された基準に対応する前記部分の位置データを検索する検索手段を有する演算手段と、
前記検索された位置データに基づいて、前記記録された番組の前記部分を再生および／または複製する再生複製手段とを備えた再生複製システムである。
【００１１】
第２の本発明は、前記検索された位置データは、所定のネットワークを利用して前記演算手段側から前記再生複製手段側に伝送される第１の本発明の再生複製システムである。
【００１２】
第３の本発明は、前記番組の指定および前記基準の入力は、ユーザの指示に基づいて行われ、
前記番組もしくは前記番組ＩＤ、および前記基準に関する情報が、前記ユーザに対して表示される第１の本発明の再生複製システムである。
【００１３】
第４の本発明は、前記情報の表示は、所定のネットワークを利用して行われる第３の本発明の再生複製システムである。
【００１４】
第５の本発明は、前記指定された番組および前記入力された基準に関する情報を管理する管理手段をさらに備えた第１の本発明の再生複製システムである。
【００１５】
第６の本発明は、番組を記録する記録手段と、
前記番組に固有な番組ＩＤを利用して、前記番組を指定する指定手段と、
前記指定された番組の再生および／または複製されるべき部分を特定するための基準を入力する入力手段と、
前記基準に対応する前記部分の前記番組における位置に関する位置データと前記基準とのあらかじめ定められた対応関係に基づいて検索された、前記入力された基準に対応する前記部分の位置データに基づいて、前記記録された番組の前記部分を再生および／または複製する再生複製手段とを備えた再生複製装置である。
【００１６】
第７の本発明は、番組に固有な番組ＩＤを利用して指定された前記番組の再生および／または複製されるべき部分を特定するための基準に対応する前記部分の前記番組における位置に関する位置データと前記基準とのあらかじめ定められた対応関係を格納する格納手段と、
前記格納された対応関係に基づいて、入力された前記基準に対応する前記部分の位置データを検索する検索手段とを備え、
前記検索された位置データに基づいて、記録された前記番組の前記部分が再生および／または複製される演算装置である。
【００１７】
第８の本発明は、番組に固有な番組ＩＤを利用して指定された前記番組の再生および／または複製されるべき部分を特定するための基準を入力する入力手段を備え、
前記基準に対応する前記部分の前記番組における位置に関する位置データと前記基準とのあらかじめ定められた対応関係に基づいて検索された、前記入力された基準に対応する前記部分の位置データに基づいて、記録された前記番組の前記部分が再生および／または複製される入力装置である。
【００１８】
第９の本発明は、番組を記録する記録ステップと、
前記番組に固有な番組ＩＤを利用して、前記番組を指定する指定ステップと、
前記指定された番組の再生および／または複製されるべき部分を特定するための基準を入力する入力ステップと、
（ａ）前記基準に対応する前記部分の前記番組における位置に関する位置データと前記基準とのあらかじめ定められた対応関係を格納し、（ｂ）前記格納された対応関係に基づいて、前記入力された基準に対応する前記部分の位置データを検索する演算ステップと、
前記検索された位置データに基づいて、前記記録された番組の前記部分を再生および／または複製する再生複製ステップとを備えた再生複製方法である。
【００１９】
第１０の本発明は、第９の本発明の再生複製方法の、番組を記録する記録ステップと、前記番組に固有な番組ＩＤを利用して、前記番組を指定する指定ステップと、前記指定された番組の再生および／または複製されるべき部分を特定するための基準を入力する入力ステップと、（ａ）前記基準に対応する前記部分の前記番組における位置に関する位置データと前記基準とのあらかじめ定められた対応関係を格納し、（ｂ）前記格納された対応関係に基づいて、前記入力された基準に対応する前記部分の位置データを検索する演算ステップと、前記検索された位置データに基づいて、前記記録された番組の前記部分を再生および／または複製する再生複製ステップとをコンピュータに実行させるためのプログラムである。
【００２０】
第１１の本発明は、第１０の本発明のプログラムを担持した記録媒体であって、コンピュータにより処理可能な記録媒体である。
【００２１】
【発明の実施の形態】
以下、本発明の実施の形態について図面を参照しながら説明する。
【００２２】
（実施の形態１）
はじめに、図１を主として参照しながら、本実施の形態の番組メタ情報応用録画再生装置の構成について説明する。
【００２３】
なお、図１は、本発明にかかる実施の形態１の番組メタ情報応用録画再生装置の構成図である。
【００２４】
録画再生装置１０は、放送番組を受信するための、ビデオテープレコーダーやＤＶＤレコーダーなどの装置である。
【００２５】
可搬メディア２０は、半導体メモリや録画型ＤＶＤなどのメディアである。
【００２６】
放送局３０、放送局４０、放送局５０は、後述のような設備を有する放送局である。
【００２７】
番組付加情報登録装置６０は、たとえば、番組情報をやり取りするサービスを受けるためのインターネットに接続されたＰＣなどの装置である。
【００２８】
番組情報サービス装置７０は、たとえば、放送局３０などの放送局からの番組情報を受けてＥＰＧ（電子番組表）を構成しネットワーク上でサービスを行うための装置である。
【００２９】
つぎに、本実施の形態の番組メタ情報応用録画再生装置のより詳細な構成について説明する。
【００３０】
録画再生装置１０は、放送受信部１１、番組録画部１２、番組保存部１３、番組再生部１４、番組複製部１５、通信制御部１６、番組付加情報登録部１７、番組付加情報選択部１８を備える。
【００３１】
放送受信部１１は、アンテナから放送信号を受信し、番組録画部１２に番組の映像および音声を送るためのチューナーである。
【００３２】
番組録画部１２は、番組を録画し、録画した番組ＩＤを通信制御部１６を用いて特定し、番組保存部１３に保存するための手段である。
【００３３】
番組再生部１４は、番組保存部１３に保存された番組を、番組付加情報選択部１８で選択された付加情報から決定された範囲分だけ再生するための手段である。
【００３４】
番組複製部１５は、番組保存部１３に保存された番組を、番組付加情報選択部１８によって選択された付加情報から決定された範囲分だけ可搬メディア２０に複製するための手段である。
【００３５】
番組付加情報登録部１７は、番組の付加情報を通信制御部１６を用いてネットワーク経由で番組情報サービス装置７０に登録するための手段である。
【００３６】
放送局３０は、番組送信部３１、番組情報送出部３２を備える。もちろん、放送局４０、放送局５０についても、同様である。
【００３７】
番組送信部３１は、番組の映像・音声を電波に変換し、放送するための手段である。
【００３８】
番組情報送出部３２は、番組の放送スケジュールなどの情報を番組情報サービス装置７０にネットワーク経由で提供するための手段である。
【００３９】
番組付加情報登録装置６０は、通信制御部６１、番組付加情報登録部６２を備える。
【００４０】
番組付加情報登録部６２は、通信制御部６１を経由して、番組情報サービス装置７０から得た番組に対して、付加情報を入力し、通信制御部６１を経由して、番組情報サービス装置７０に登録するための手段である。
【００４１】
番組情報サービス装置７０は、通信制御部７１、番組ＩＤ管理部７２、番組付加情報管理部７３を備える。
【００４２】
番組ＩＤ管理部７２は、放送局３０などから通信制御部を経由して得た番組情報を元に、ＥＰＧを構成し、すべての番組にＩＤを付与し、管理するための手段である。また、番組ＩＤ管理部７２は、ネットワークに接続された録画再生装置１０や番組付加情報登録装置６０からの番組ＩＤの参照を、通信制御部７１を経由して受けるための手段である。
【００４３】
番組付加情報管理部７３は、ネットワークに接続された録画再生装置１０や番組付加情報登録装置６０からの指定された番組ＩＤに対する、番組付加情報の登録および参照の要求を通信制御部７１を経由して受け、番組ＩＤ管理部７２の番組ＩＤに対応した付加情報の登録および参照を行うための手段である。
【００４４】
なお、番組録画部１２は本発明の記録手段に対応し、番組付加情報選択部１８は本発明の指定手段に対応し、番組付加情報登録部１７は本発明の入力手段に対応し、番組ＩＤ管理部７２、および番組付加情報管理部７３を含む手段は本発明の演算手段、および管理手段を含む手段に対応し、番組再生部１４、および番組複製部１５を含む手段は本発明の再生複製手段に対応し、本実施の形態の番組メタ情報応用録画再生装置は本発明の再生複製システムに対応する。
【００４５】
また、録画再生装置１０は、本発明の再生複製装置に対応する。
【００４６】
また、番組情報サービス装置７０は、本発明の演算装置に対応する。
【００４７】
また、番組付加情報登録部６２は本発明の入力手段に対応し、番組付加情報登録装置６０は本発明の入力装置に対応する。
【００４８】
つぎに、本実施の形態の番組メタ情報応用録画再生装置の動作について説明する。なお、本実施の形態の番組メタ情報応用録画再生装置の動作について説明しながら、本発明の再生複製方法の一実施の形態についても説明する。
【００４９】
▲１▼まず、録画再生装置１０の番組録画について、図１２を主として参照しながら説明する（番組情報サービス装置７０側における番組ＩＤおよび番組付加情報の管理を行うための動作については、後述する）。
【００５０】
なお、図１２は、本発明にかかる実施の形態１の番組録画を示すフローチャートである。
【００５１】
番組の録画が開始されると（番組録画開始ステップＳ１１）、録画する番組のチャンネルや録画開始時間などの番組情報が通信制御部１６によってネットワーク経由で番組情報サービス装置７０に送出される（番組情報送出ステップＳ１２）。
【００５２】
番組情報サービス装置７０からの番組ＩＤの応答が、取得される（番組ＩＤ取得ステップＳ１３）。
【００５３】
番組ＩＤが、番組保存部１３に保存される（番組ＩＤ保存ステップＳ１４）。
【００５４】
番組の映像・音声が番組保存部１３に保存され（番組保存ステップＳ１５）、番組の録画が終了する（番組録画終了ステップＳ１６）。
【００５５】
ここで、番組情報サービス装置７０側における番組ＩＤおよび番組付加情報の管理を行うための動作について、図２〜６を主として参照しながら説明する。
【００５６】
なお、図２は、本発明にかかる実施の形態１の番組情報の説明図である。
【００５７】
図２には、放送局３０、放送局４０、放送局５０の２００３年３月３１日１８時から２１時までの放送内容が説明されている。
【００５８】
これらの放送内容を含む情報は、各放送局の番組情報送出部（たとえば、放送局３０の番組情報送出部３２）からネットワーク経由で番組情報サービス装置７０に配送されており、番組情報サービス装置７０は、通信制御部７１を経由し取得した情報を元に、ＥＰＧを構成し、ネットワークにサービスしている。
【００５９】
そして、利用者は、ＰＣや携帯電話等のＷＥＢ画面でこれらのＥＰＧを図２の形式で見ることが出来る。
【００６０】
なお、図３は、本発明にかかる実施の形態１の番組ＩＤの説明図である。
【００６１】
図３には、番組情報サービス装置７０で図２の番組情報にＩＤを振り番組ＩＤ管理部７２に保存している様子が説明されている。
【００６２】
なお、図４は、本発明にかかる実施の形態１の番組ＩＤの構成の説明図である。
【００６３】
図４には、ＩＤのフォーマットが説明されている。
【００６４】
もちろん、この付与方法は一例であり、番組を特定することが出来れば良い。このようなフォーマットを利用することにより、たとえば、放送局をまたいで「アニメＡ」を検索する際、番組ＩＤにおける放送局に対応する部分（放送局ＩＤ）を無視することで簡単に検索することができる。
【００６５】
なお、図５は、本発明にかかる実施の形態１の付加情報の説明図（その１）である。
【００６６】
図５には、付加情報が説明されている。図３の「歌番組Ａ」の番組ＩＤ「１２３５  ００９９  ０００１  ２００３０３３１１８３０  ００００」に対して、１分単位の視聴率、出演者、ＣＭ、インデックス、曲名を保存している。もちろん、視聴率を１分単位としたのは説明の都合上であり、時間間隔は任意で構わない。
【００６７】
なお、図６は、本発明にかかる実施の形態１の付加情報の説明図（２）である。
【００６８】
図６には、図５と同様に付加情報が説明されている。図３の「アニメＡ１２３話」の番組ＩＤで、放送局や放送時間に依存しない部分（ＩＤの上位８桁のみ、図６では下位の桁をＸで無視している）に対して、図５と同様の付加情報が保存されている。
【００６９】
▲２▼つぎに、番組情報サービス装置７０の番組付加情報登録について、図１６を主として参照しながら説明する（録画再生装置１０および番組付加情報登録装置６０側における番組付加情報の登録を行うための動作については、後述する）。
【００７０】
なお、図１６は、本発明にかかる実施の形態１の番組付加情報登録を示すフローチャートである。
【００７１】
ネットワーク経由で指定された番組ＩＤおよび番組付加情報に対する有効範囲の登録が行われると（番組付加情報登録要求ステップＳ５１）、指定された番組ＩＤが検索される（番組ＩＤ検索ステップＳ５２）。
【００７２】
番組ＩＤ取得ステップＳ４２で検索された番組ＩＤに対する番組付加情報が、検索される（番組付加情報検索ステップＳ５３）。
【００７３】
指定された番組付加情報に対する有効範囲が、登録される（有効範囲登録ステップＳ５４）。
【００７４】
ここで、録画再生装置１０および番組付加情報登録装置６０側における番組付加情報の登録を行うための動作について、図７を主として参照しながら説明する。
【００７５】
なお、図７は、本発明にかかる実施の形態１の付加情報の付加の説明図である。
【００７６】
図７には、図３の「歌番組Ａ」の番組ＩＤ「１２３５  ００９９  ０００１  ２００３０３３１１８３０  ００００」に対する付加情報の付加の方法が説明されている。
【００７７】
視聴者が曲名で付加情報を登録することを要望する場合は、曲の継続している期間（０：０２．３３（０時２分３３秒の意味である、以下同様）から０：０４．１５）が、登録されるべき「歌Ａ」が流れていた時間帯である。
【００７８】
視聴者が、録画再生装置１０の番組付加情報登録部１７または番組付加情報登録装置６０の番組付加情報登録部６２を用いてこの期間を指定し、ネットワーク経由で番組情報サービス装置７０に登録する。
【００７９】
視聴者がインデックスで付加情報を登録することを要望する場合は、曲の開始時刻（０：０２．３３）が、登録されるべき１曲目の開始時間である。
【００８０】
視聴者が、録画再生装置１０の番組付加情報登録部１７または番組付加情報登録装置６０の番組付加情報登録部６２を用いてこの時間を指定し、ネットワーク経由で番組情報サービス装置７０に登録する。
【００８１】
番組情報サービス装置７０内で、既に曲名の付加情報が登録されている場合は、自動的に、曲の開始点をインデックスとして登録することも出来る。
【００８２】
視聴者が出演者で付加情報を登録することを要望する場合は、ある出演者が出演している期間（０：０１．００から０：０４．１５）が、登録されるべき「出演者Ｂ」が出演していた時間帯である。
【００８３】
視聴者が、録画再生装置１０の番組付加情報登録部１７または番組付加情報登録装置６０の番組付加情報登録部６２を用いてこの期間を指定し、ネットワーク経由で番組情報サービス装置７０に登録する。
【００８４】
登録の具体的な方法は、録画または再生中にリモコン操作で開始点、終了点を指定する方法や、キーボードで時間を入力するなど種々の方法がある。
【００８５】
（ａ）基準（たとえば出演者）が入力され、（ｂ）基準に対応する部分（たとえば出演者が登場している場面）の番組における位置データとその基準とのデータベースに格納された対応関係（図５〜６参照）に基づいて、入力された基準に対応する部分の位置データが検索されることにより、間接的に期間の指定が行われる。このような検索が番組情報サービス装置７０側で行われるため、ユーザに負担を強いることなく、要望に応じたダイジェスト再生を簡単に実現することが可能になる。
【００８６】
もちろん、登録が有効である登録有効期間が、課金などに応じて定められていてもよい。
【００８７】
▲３▼つぎに、番組情報サービス装置７０の番組ＩＤ検索について、図１７を主として参照しながら説明する。
【００８８】
なお、図１７は、本発明にかかる実施の形態１の番組ＩＤ検索を示すフローチャートである。
【００８９】
ネットワーク経由で指定されたチャンネルおよび時刻に対する番組ＩＤの取得の要求が行われると（番組ＩＤ取得要求ステップＳ６１）、指定された番組ＩＤが検索される（番組ＩＤ検索ステップＳ６２）。
【００９０】
番組ＩＤ検索ステップＳ６２で取得された番組ＩＤが、通信制御部７１経由でネットワークに送出される（番組ＩＤ送出ステップＳ６３）。
【００９１】
▲４▼つぎに、番組情報サービス装置７０の有効範囲送信について、図１５を主として参照しながら説明する。
【００９２】
なお、図１５は、本発明にかかる実施の形態１の有効範囲送信を示すフローチャートである。
【００９３】
ネットワーク経由で指定された番組ＩＤおよび番組付加情報に対する番組有効範囲取得要求が行われると（番組有効範囲取得要求ステップＳ４１）、指定された番組ＩＤが検索される（番組ＩＤ検索ステップＳ４２）。
【００９４】
番組ＩＤ取得ステップＳ３２で検索された番組ＩＤに対する番組付加情報が、検索される（番組付加情報検索ステップＳ４３）。
【００９５】
指定された番組付加情報に対する有効範囲が、取得される（有効範囲取得ステップＳ４４）。
【００９６】
有効範囲取得ステップＳ４４で取得された有効範囲が、通信制御部７１経由でネットワークに送出される（有効範囲送出ステップＳ４５）。
【００９７】
▲５▼つぎに、録画再生装置１０の番組再生について、図１３を主として参照しながら説明する。
【００９８】
なお、図１３は、本発明にかかる実施の形態１の番組再生を示すフローチャートである。
【００９９】
番組付加情報選択部１８によって番組の再生が要求されると（番組再生要求ステップＳ２１）、再生する番組の番組ＩＤが番組保存部１３から取得される（番組ＩＤ取得ステップＳ２２）。
【０１００】
番組付加情報が、番組付加情報選択部１８によって取得される（番組付加情報取得ステップＳ２３）。
【０１０１】
番組ＩＤ取得ステップＳ２２で取得された番組ＩＤと番組付加情報取得ステップＳ２３で取得された番組付加情報とが、通信制御部１６によって、ネットワーク経由で番組情報サービス装置７０に送出される（番組ＩＤ／番組付加情報送出ステップＳ２４）。
【０１０２】
番組情報サービス装置７０からの番組ＩＤに対する有効範囲の応答が、取得される（有効範囲取得ステップＳ２５）。
【０１０３】
有効範囲取得ステップＳ２５で取得された範囲が再生範囲として番組再生部１４に設定され（再生範囲指定ステップＳ２６）、番組再生部１４によって指定された再生範囲で再生が実行される（番組再生開始ステップＳ２７）。
【０１０４】
ここで、録画再生装置１０側における番組付加情報を用いた番組の再生を行うための動作について、図８〜１０を主として参照しながらより詳細に説明する。
【０１０５】
なお、図８は、本発明にかかる実施の形態１の番組保存部１３の内容の説明図である。
【０１０６】
図８には、図３の「歌番組Ａ」を録画して、番組保存部１３に保存された状態が説明されている。
【０１０７】
番組保存部１３には、番組の映像・音声の他、番組ＩＤ「１２３５  ００９９０００１  ２００３０３３１１８３０  ００００」が保存されている。
【０１０８】
なお、図９は、本発明にかかる実施の形態１の曲名指定の再生の説明図である。
【０１０９】
図９には、曲名を指定して行われる再生が説明されている。
【０１１０】
番組再生部１４は、番組付加情報選択部１８によって付加情報「歌Ａ」が指定されている場合、番組付加情報選択部１８によって指定されている付加情報と番組保存部１３に保存されている番組ＩＤとを、通信制御部１６からネットワーク経由で番組情報サービス装置７０に問い合わせる。
【０１１１】
そして、番組再生部１４は、付加情報に応じた再生期間を取得し、対応する部分のみを再生する。
【０１１２】
出演者を指定して行われる再生に関しても、同様である。
【０１１３】
なお、図１０は、本発明にかかる実施の形態１のインデックス再生の説明図である。
【０１１４】
図１０には、インデックスを指定して行われる再生が説明されている。
【０１１５】
番組再生部１４は、番組付加情報選択部１８によって付加情報「インデックス」が指定されている場合、番組付加情報選択部１８によって指定されている付加情報と番組保存部１３に保存されている番組ＩＤとを、通信制御部１６からネットワーク経由で番組情報サービス装置７０に問い合わせる。
【０１１６】
そして、番組再生部１４は、指定された付加情報に応じた再生開始点を取得し、対応する部分から数秒間ずつ再生する。
【０１１７】
図１０では、各曲の先頭を１０秒のみ再生する。もちろん、この再生の途中の任意の時点で、通常の再生に切り替えることもできる。
【０１１８】
このようにして、番組情報サービス装置７０に登録された番組の付加情報を用い、番組のダイジェストを再生することができる。
【０１１９】
▲６▼つぎに、録画再生装置１０の番組複製について、図１４を主として参照しながら説明する。
【０１２０】
なお、図１４は、本発明にかかる実施の形態１の番組複製を示すフローチャートである。
【０１２１】
番組付加情報選択部１８によって番組の複製が要求されると（番組複製要求ステップＳ３１）、複製する番組の番組ＩＤが番組保存部１３から取得される（番組ＩＤ取得ステップＳ３２）。
【０１２２】
番組付加情報が、番組付加情報選択部１８によって取得される（番組付加情報取得ステップＳ３３）。
【０１２３】
番組ＩＤ取得ステップＳ３２で取得された番組ＩＤと番組付加情報取得ステップＳ３３で取得された番組付加情報とが、通信制御部１６によって、ネットワーク経由で番組情報サービス装置７０に送出される（番組ＩＤ／番組付加情報送出ステップＳ３４）。
【０１２４】
番組情報サービス装置７０からの番組ＩＤに対する有効範囲の応答が、取得される（有効範囲取得ステップＳ３５）。
【０１２５】
有効範囲取得ステップで取得された範囲が複製範囲として番組複製部１５に設定され（複製範囲指定ステップＳ３６）、番組複製部１５によって指定された複製範囲で番組の複製が実行される（番組複製開始ステップＳ３７）。
【０１２６】
ここで、録画再生装置１０側における番組付加情報を用いた番組の複製を行うための動作について、図１１を主として参照しながらより詳細に説明する。
【０１２７】
なお、図１１は、本発明にかかる実施の形態１の曲名指定の複製の説明図である。
【０１２８】
図１１には、曲名を指定して行われる可搬メディア２０への複製が説明されている。
【０１２９】
番組複製部１５は、番組付加情報選択部１８によって付加情報「歌Ａ」が指定されている場合、番組付加情報選択部１８によって指定されている付加情報と番組保存部１３に保存されている番組ＩＤとを、通信制御部１６からネットワーク経由で番組情報サービス装置７０に問い合わせる。
【０１３０】
そして、番組複製部１５は、指定された付加情報に応じた複製期間を取得し、対応する部分のみを可搬メディア２０に複製する。
【０１３１】
出演者やインデックスを指定して行われる複製に関しても、同様である。
【０１３２】
このようにして、番組情報サービス装置７０に登録された番組の付加情報を用い、番組のダイジェストを複製することができる。
【０１３３】
以上においては、実施の形態１について詳細に説明を行った。
【０１３４】
なお、実施の形態１のアンテナは、放送局と録画再生機器を結ぶ部分であり、放送形態によって、電波を用いる場合、ケーブルテレビ回線を用いる場合、インターネットを用いる場合等いろいろな場合がある。
【０１３５】
また、番組付加情報登録装置６０は、ネットワークを経由せず、番組情報サービス装置７０の１構成要素として直接組み込まれてもよい。
【０１３６】
また、番組録画部１２が番組保存部１３に番組ＩＤを保存せず、時間とチャンネルを保存し、番組再生部１４もしくは、番組複製部１５が再生もしくは複製する際に、時間とチャンネルから番組情報サービス装置７０に番組ＩＤを特定させ、有効範囲を決定してもよい。
【０１３７】
また、本発明のプログラムは、上述した本発明の再生複製方法の全部または一部のステップ（または、工程、動作、作用等）の動作をコンピュータにより実行させるためのプログラムであって、コンピュータと協働して動作するプログラムである。
【０１３８】
また、本発明の記録媒体は、上述した本発明の再生複製方法の全部または一部のステップ（または、工程、動作、作用等）の全部または一部の動作をコンピュータにより実行させるためのプログラムを担持した記録媒体であり、コンピュータにより読み取り可能かつ、読み取られた前記プログラムが前記コンピュータと協動して前記動作を実行する記録媒体である。
【０１３９】
なお、本発明の上記「一部のステップ（または、工程、動作、作用等）」とは、それらの複数のステップの内の、一つまたは幾つかのステップを意味する。
【０１４０】
また、本発明の上記「ステップ（または、工程、動作、作用等）の動作」とは、前記ステップの全部または一部の動作を意味する。
【０１４１】
また、本発明のプログラムの一利用形態は、コンピュータにより読み取り可能な記録媒体に記録され、コンピュータと協働して動作する態様であっても良い。
【０１４２】
また、本発明のプログラムの一利用形態は、伝送媒体中を伝送し、コンピュータにより読みとられ、コンピュータと協働して動作する態様であっても良い。
【０１４３】
また、記録媒体としては、ＲＯＭ等が含まれ、伝送媒体としては、インターネット等の伝送媒体、光・電波・音波等が含まれる。
【０１４４】
また、上述した本発明のコンピュータは、ＣＰＵ等の純然たるハードウェアに限らず、ファームウェアや、ＯＳ、更に周辺機器を含むものであっても良い。
【０１４５】
なお、以上説明した様に、本発明の構成は、ソフトウェア的に実現しても良いし、ハードウェア的に実現しても良い。
【０１４６】
このようにして、視聴者本人もしくは、他人が番組につけた付加情報を番組情報サービスから取得し、録画した長時間番組のダイジェストを作成し、可搬メディアにダビングして、出勤途中などの移動中や屋外にて短時間で、必要な個所を鑑賞することが可能となる。
【０１４７】
【発明の効果】
以上述べたところから明らかなように、本発明は、放送の視聴者の多様な要求により応じた番組のダイジェストを提供することができるという長所を有する。
【図面の簡単な説明】
【図１】本発明にかかる実施の形態１の番組メタ情報応用録画再生装置の構成図
【図２】本発明にかかる実施の形態１の番組情報の説明図
【図３】本発明にかかる実施の形態１の番組ＩＤの説明図
【図４】本発明にかかる実施の形態１の番組ＩＤの構成の説明図
【図５】本発明にかかる実施の形態１の付加情報の説明図（１）
【図６】本発明にかかる実施の形態１の付加情報の説明図（２）
【図７】本発明にかかる実施の形態１の付加情報の付加の説明図
【図８】本発明にかかる実施の形態１の番組保存部１３の内容の説明図
【図９】本発明にかかる実施の形態１の曲名指定の再生の説明図
【図１０】本発明にかかる実施の形態１のインデックス再生の説明図
【図１１】本発明にかかる実施の形態１の曲名指定の複製の説明図
【図１２】本発明にかかる実施の形態１の番組録画を示すフローチャート
【図１３】本発明にかかる実施の形態１の番組再生を示すフローチャート
【図１４】本発明にかかる実施の形態１の番組複製を示すフローチャート
【図１５】本発明にかかる実施の形態１の有効範囲送信を示すフローチャート
【図１６】本発明にかかる実施の形態１の番組付加情報登録を示すフローチャート
【図１７】本発明にかかる実施の形態１の番組ＩＤ検索を示すフローチャート
【符号の説明】
１０  録画再生装置
１１  放送受信部
１２  番組録画部
１３  番組保存部
１４  番組再生部
１５  番組複製部
１６  通信制御部
１７  番組付加情報登録部
１８  番組付加情報選択部
２０  可搬メディア
３０  放送局
３１  番組送信部
３２  番組情報送出部
４０  放送局
５０  放送局
６０  番組付加情報登録装置
６１  通信制御部
６２  番組付加情報登録部
７０  番組情報サービス装置
７１  通信制御部
７２  番組ＩＤ管理部
７３  番組付加情報管理部
【図１】
2004364221.tif 000003
【図２】
2004364221.tif 000004
【図３】
2004364221.tif 000005
【図４】
2004364221.tif 000006
【図５】
2004364221.tif 000007
【図６】
2004364221.tif 000008
【図７】
2004364221.tif 000009
【図８】
2004364221.tif 000010
【図９】
2004364221.tif 000011
【図１０】
2004364221.tif 000012
【図１１】
2004364221.tif 000013
【図１２】
2004364221.tif 000014
【図１３】
2004364221.tif 000015
【図１４】
2004364221.tif 000016
【図１５】
2004364221.tif 000017
【図１６】
2004364221.tif 000018
【図１７】
2004364221.tif 000019